(57)【要約】【課題】容易に接続と分離が可能で、雄雌の要素を一緒に把持する力が永久磁石で供給される同軸ケーブル用の磁気コネクタを提供する。頻繁に不注意による切断にさらされるような環境下での使用に適するようなコネクタを提供する。引き離す力を受けたときにも容易かつ信頼性高く解放することができてケーブルが損傷を受けることがないコネクタを提供する。【解決手段】同軸ケーブル用磁気コネクタの雄要素及び雌要素が両者を接続する力を供給する永久磁石を有し、雄要素と雌要素の磁極は反対の極性である。コネクタ分離時は雄要素のピン部材がスプリング部材により付勢されて平坦面から突出し、雌要素のソケット部材は平坦面内にある。コネクタ接続時はスプリング部材がピン部材に作用する力により圧縮されてピン部材を雄要素内へと押し下げ、ピン部材が正しく位置決めされてソケット部材内へと挿入されるのを付勢するようになっている。【選択図】図３
2009539224.tif 000002
【特許請求の範囲】
【請求項１】
同軸ケーブル用の磁気コネクタ組立体であって、
雄要素が信号導電ピン部材を有し雌要素が前記ピン部材を受け入れるための補完的形状をしたソケット部材を有している雄要素及び雌要素を包含し、
前記雄要素及び前記雌要素は係合するようにアースされた概ね平坦な面を有し、前記ピン部材はスプリング手段により付勢されて前記雄要素の前記平坦面から突出するようになっており、前記ソケット部材は前記雌要素の前記平坦面内に引き込まれており、
前記スプリング手段は、前記ピン部材に作用する圧力に応答して圧縮された状態になると前記ピン部材を前記雄要素内へと押し下げ、かつ前記ピン部材が正しく位置決めされた補完的ソケット部材内へと挿入されるのを付勢するようになっており、これにより前記雄要素と前記雌要素とが連結されるようにしており、
さらに、前記雄要素と前記雌要素との連結を維持して電気回路を供給し、かつ前記ケーブルに望ましくない切り離し力が作用したときに前記雄要素を前記雌要素から切り離す磁気手段を包含している磁気コネクタ組立体。
【請求項２】
前記磁気手段は前記雄要素内の永久磁石を有し、この永久磁石は前記雌要素内の反対の極性を有する永久磁石と協働するようになっている請求項１記載のコネクタ組立体。
【請求項３】
前記アースされた概ね平坦な面は連続した電気的シールドを供給し、前記雄要素と前記雌要素との間にマッチした電気的インピーダンスを有している請求項２記載のコネクタ組立体。
【請求項４】
前記ピン部材は可撓性の信号導電手段により前記同軸ケーブルの中央導体に接続され、前記スプリング手段の圧縮状態から独立した信号の連続性を維持するようになっている請求項３記載のコネクタ組立体。
【請求項５】
前記雄要素は複数のピン部材を有し、前記雌要素は補完的なソケット部材を有している請求項４記載のコネクタ組立体。
【請求項６】
第１ケーブルと第２ケーブルとを連結するための同軸ケーブル用コネクタ組立体で、各ケーブルが内側絶縁層で被覆された中央導体と前記内側絶縁層を被覆する金属ブレードとを有している同軸ケーブル用コネクタ組立体であって、
雄要素で、ピン部材を有し、このピン部材がピン接点部分と可撓性導体に導電的に連結されたピンアタッチメント部分とを有し、この可撓性導体は前記第１ケーブルの前記中央導体に連結されており、
さらにこの雄要素は、前記ピンアタッチメント部分と前記可撓性導体とを包囲しかつ前記ピン接点部分の一部を越えて延伸している第１の絶縁性部材と、
前記第１の絶縁性部材を包囲する第１の磁気部材と、
前記第１の磁気部材を包囲しかつ前記第１の磁気部材を越えて延伸している第１の導電性シールド部材とを有し、前記第１の導電性シールド部材は前記雄要素のための概ね平坦な係合面を供給しており、さらに前記第１の導電性シールド部材は前記第１ケーブルの前記ブレードに電気的に連結されているような雄要素を備え、
さらに同軸ケーブル用コネクタ組立体は、
雌要素で、前記第２ケーブルの中央導体に導電的に連結されるための第１端部と、前記ピン接点部分を導電的に受け入れるためのソケット部分に連結される第２端部とを有し、
さらにこの雌要素は、前記第２端部を包囲する第２の絶縁性部材と、
前記第２の絶縁性部材を包囲する第２の磁気部材と、
前記第２の磁気部材を越えて延伸している第２の導電性シールド部材とを有し、前記第２の導電性シールド部材は前記雄要素の前記係合面と係合するための概ね平坦な面を供給しており、さらに前記第２のシールド部材は前記ブレードに電気的に連結されているような雌要素とを備えており、
前記第１及び第２の磁気部材は反対の極性を有し、前記雄要素と前記雌要素とがそれらの各係合面で係合したときは、過剰な分離力が働かない限り、連続して連結された状態を保持するようになっている同軸ケーブル用コネクタ組立体。
【請求項７】
前記ピンアタッチメント部分はスプリング手段を有し、このスプリング手段は、前記ピン接点部分に働く圧力に応答して、圧縮された状態で前記ピン接点部分を前記雄要素内へと押し下げ、かつ圧力が解放された状態で拡張し前記ピン接点部分が前記ソケット部材内へと挿入されるようにしている請求項６記載のコネクタ組立体。
【請求項８】
前記雄要素と前記雌要素との係合は、連続した電気的シールドを供給し、前記第１ケーブルと前記第２ケーブルとの間にマッチした電気的インピーダンスを有している請求項６記載のコネクタ組立体。
【請求項９】
音響システム内での前記雄要素と前記雌要素との係合は、突然の切断による音響的ノイズの発生や電気回路の損傷を阻止するような電気回路接続を供給している請求項６記載のコネクタ組立体。
【請求項１０】
前記雄要素は複数のピン部材を有し、前記雌要素は補完的なソケット部材を有している請求項７記載のコネクタ組立体。
【請求項１１】
同軸ケーブル用の磁気コネクタ組立体であって、
雄要素及び雌要素であり、前記雄要素が信号導電ピン部材を有し、この信号導電ピン部材は前記雌要素内の補完的ソケット部材と係合するようになっている雄要素及び雌要素を包含し、
前記雄要素及び前記雌要素が係合する表面を有し、それらの表面の下に前記雄要素と前記雌要素とが電気回路を供給できるように連結を維持するための磁気手段が横たわっており、さらに前記磁気手段は前記ケーブルに望ましくない分離力が働いたときは前記雄要素を前記雌要素から分離するようになっている磁気コネクタ組立体。
【請求項１２】
前記横たわる磁気手段は前記雄要素内の永久磁石と前記雌要素内にあって反対の極性を有する永久磁石とを包含する請求項１１記載のコネクタ組立体。
【請求項１３】
前記雄要素側の係合表面と前記雌要素側の係合表面とは概ね平坦で、アースされ、係合しており、これにより連続した電気的シールドを供給している請求項１２記載のコネクタ組立体。
【請求項１４】
前記雄要素側の係合表面と前記雌要素側の係合表面との係合は、前記雄要素と前記雌要素との間にマッチした電気的インピーダンスを供給し、これにより前記雄要素側の係合表面とと前記雌要素側の係合表面との係合が突然に切断されたときは音響的ノイズの発生や電気回路の損傷を阻止するような電気回路接続を供給している請求項１３記載のコネクタ組立体。
【請求項１５】
前記ピン部材を付勢して前記雌要素の前記係合表面から突出させて前記雌要素の前記ソケット部材へと連結させるためのスプリング手段を有し、このスプリング手段は、正しく位置決めされたソケット部材がないときに前記ピン部材への圧力に応答して前記ピン部材を前記雌部材内へと押し下げるようになっている請求項１３記載のコネクタ組立体。
【請求項１６】
前記ピン部材がピン接点部分と可撓性導体に導電的に連結されたピンアタッチメント部分とを有し、この可撓性導体は第１の同軸ケーブルの前記中央導体に連結されており、
さらにこの組立体は、前記ピンアタッチメント部分と前記可撓性導体とを包囲しかつ前記ピン接点部分の一部を越えて延伸している第１の絶縁性部材と、
前記第１の絶縁性部材を包囲する第１の磁気部材と、
前記第１の磁気部材を包囲しかつ前記第１の磁気部材を越えて延伸している第１の導電性シールド手段とを有し、前記第１の導電性シールド部材は前記雄要素のための概ね平坦な係合面を供給しており、さらに前記第１の導電性シールド手段は前記第１ケーブルのブレードに電気的に連結されており、
前記雌要素は、第２の同軸ケーブルの中央導体に導電的に連結されるための第１端部と、前記ピン接点部分を導電的に受け入れるための前記ソケット部分に連結される第２端部とを有し、
さらにこの雌要素は、前記第２端部を包囲する第２の絶縁性部材と、
前記第２の絶縁性部材を包囲する第２の磁気部材と、
前記第２の磁気部材を越えて延伸している第２の導電性シールド手段とを有し、前記第２の導電性シールド手段は前記雄要素の前記係合面と係合するための概ね平坦な面を供給しており、さらに前記第２のシールド手段は前記第２のケーブルの前記ブレードに電気的に連結されている請求項１５記載のコネクタ組立体。
【請求項１７】
前記雄要素は複数のピン部材を有し、前記雌要素は補完的なソケット部材を有している請求項１５記載のコネクタ組立体。
【発明の詳細な説明】
【技術分野】
【０００１】
本発明の背景は２つの部分で説明される。
【０００２】
本発明は電気的同軸ケーブルに関し、特に同軸ケーブル用で、磁気的に把持と解放を行うコネクタ装置に係るものである。
【背景技術】
【０００３】
電気的コネクタについては市場で多数の変形例を発見することができ、各々は電気的特性の異なる特定のセットを用いて特定の用途のために最適化されている。特定の用途のための電気的コネクタのデザインは、コネクタが用いられる回路のための電気的パラメータや、それが用いられる環境に対するコネクタの感度、接続／切断のための容易さ、接続の望ましい信頼性、コネクタに期待されるコストなどを含んでいる。
【０００４】
【特許文献１】接続／切断のための容易さを考慮して、磁気的に把持及び解放を行えるコネクタが発展してきた。従来技術におけるそのようなコネクタの一例が１９７７年５月３１日にオーウェンスに発行された米国特許第４０２５９６４号に図示及び説明がなされ、そこにはソケット内のマグネット（磁石）とプラグ内の磁性材料とによりソケット内に把持されたプラグが記載されている。他の類似の配置が１９８０年７月８日にシェアーに発行された米国特許第４２１１４５６号に記載され、そこでは雄と雌の電気的コネクタが、雌側コネクタに内蔵された永久磁石によって一緒に把持されている。
【０００５】
かかる装置はその配置が図示され、電気的コネクタを磁気的に断続するための試みがなされてきた。しかしながら、同軸コネクタを磁気的に断続するには、接続／切断の容易さと共に接続に望ましい信頼性が必要であった。同軸ケーブルシステムにとって、協働する雄雌を配置する目的は、磁気的な接続能力と共に、システムの使用時のインピーダンスが材料によって影響を受けないことである。同軸ケーブルは一般に絶縁層（insulation layer）によって包囲される中央導体（conductor ）を有し、絶縁層は可撓性のブレードチューブ又はスリーブで包囲されている。コネクタ内の雄雌は共に中央導体に電気的に接続される中央接点（contact ）を有し、さらにブレードに接続されかつ相互連結された雄雌中央接点を包囲するいくつかの形状のスリーブ構造を有する。１つの実施例として、ステレオ音響システムに用いられるデュアルフィードのための構造が含まれている。
【発明の開示】
【発明が解決しようとする課題】
【０００６】
従って、本発明の目的は、容易に取り付け及び取り外しが可能で、雄雌のコネクタ要素を一緒に把持する力が永久磁石で行われるような同軸ケーブル用の新規で改良された構造を提供することにある。
本発明の他の目的は、その使用寿命の間、頻繁に不注意による断続にさらされるような環境の下での使用に適するような同軸ケーブルを提供することにある。
さらに本発明の他の目的は、引き離す力を受けたときにも容易かつ信頼性高く解放することができて、これによりケーブルが損傷を受けることがないような同軸ケーブル用の磁気コネクタ手段を提供することにある。
【課題を解決するための手段】
【０００７】
本発明によれば、同軸ケーブル用のコネクタであって、雄要素（male element）と雌要素（female element）との間の接続手段が、永久磁石、すなわち雄要素内の１つの極性の磁石要素と雌要素内の反対の極性の磁石要素とを包含する。雄要素と雌要素は、２つの要素間の磁気的吸引力に基づき信頼性のある電気的接続を可能とするように形成され、同時に迅速で容易な断続を許容し、不注意による引き離し力が働いたときでも損傷を受けないような構造に作られる。雄要素と雌要素との係合（連結）により、連続した電気的シールド（shield）が供給され、漂遊干渉（stray interference）を最小化することにより、同軸ケーブルの中央導体上の信号を保護するようになっている。絶縁体や他の接続部品のための適当なスペースと、電気的インピーダンスが充分にマッチするのを確保するだけの絶縁定数（dielectric constants）とを有し、これにより反射や漏れによる電気的損失を最小化する。楽器をスピーカに接続したり、コネクタが急な不注意による断続にさらされたときにも、破裂的なノイズが発生することがなく、電気的システムに損傷を与えることもない。
【０００８】
図１は本発明による同軸ケーブルと磁気コネクタを楽器を大音量スピーカに接続するのに用いた例を示す斜視図である。
【０００９】
図２は図１に示した本発明による同軸ケーブルと磁気コネクタが足がからまったことにより連結位置から不注意に切断された状態を示す斜視図である。
【００１０】
図３は図１に示した本発明による同軸ケーブルと磁気コネクタが本発明に従い雄雌が係合する面を示す斜視図である。
【００１１】
図４は図３の線４−４に沿って取られたコネクタの雄係合要素の断面図である。
【００１２】
図５は図３の線５−５に沿って取られたコネクタの雌係合要素の断面図である。
【００１３】
図６は図４の雄係合表面を表す上面図である。
【００１４】
図７は図４の雌係合表面を表す上面図である。
【００１５】
図８は本発明による磁気コネクタの雄雌係合表面がステレオ音響信号能力を供給する実施例の斜視図である。
【００１６】
図９は図８の線９−９に沿って取られた図８の磁気コネクタの雄係合要素の断面図である。
【００１７】
図１０は図８の線１０−１０に沿って取られた図８の磁気コネクタの雌係合要素の断面図である。
【００１８】
図１１は図９の雄係合表面を表す上面図である。
【００１９】
図１２は図１０の雌係合表面を表す上面図である。
【発明を実施するための最良の形態】
【００２０】
図を参照すると、類似の数字は複数の図において類似の要素を表しており、本発明による磁気コネクタの第１実施例として、同軸接点のために雄と雌が係合したシステムであって、雄要素と雌要素との間の接続力のために永久磁石が含まれている状態が示されている。雄要素と雌要素は、２つの要素の磁気吸引力を介して信頼性の高い電気的接続を供給するように設計され構成されるのと同時に、迅速かつ容易に取り外しができて、しかも不注意による引き離し力を受けたときにもコネクタが損傷を受けないように構成される。従来のケーブルと同様に、同軸ケーブルの基礎部分は、内側の絶縁層で包囲される中央信号導体（conductor ）を包含し、内側絶縁層は可撓性の導電性ブレードチューブ又はスリーブ内に収容され、それから組立体が外側の断熱層に収容される。中央導体は通常は複数のストランド（より索）から成るか、あるいは中実の導体から成る。楽器をスピーカに接続し、コネクタが突然引き抜かれたとしても、その結果として破裂的なノイズを発生することがなく、電気的システムに損傷を与えることもない。
【００２１】
図１は本発明による磁気コネクタ１０が、ギター１２のような楽器を大音量のスピーカ１３に、同軸ケーブル１１で接続するのに用いられる状態を示す斜視図である。ケーブル１１は通常の同軸ケーブルに用いられる方法でスピーカに接続される。
【００２２】
図２は本発明による切断特性を表しており、磁気コネクタ１０が、足２０がからまったことにより不注意に切断された状態を示している。図示のように、雄コネクタ要素１０ａが通常の同軸ジャック又はプラグでギター１２に接続され、後述するように、ケーブル１１の一端に設けられた雌コネクタ要素１０b が雄コネクタ要素１０ａと係合するようになっており、さらにケーブル１１の他端はスピーカ１３に接続されるようになっている。もっとも、雄要素１０ａと雌要素１０ｂの配置は反対であってもよく、例えば雌要素１０ｂがギター１２に接続され、雄要素１０ａがケーブル１１に接続されていてもよい。
【００２３】
図３は磁気コネクタ１０の雄要素１０ａと雌要素１０ｂとの係合面を表している。雄要素１０ａは、金属製の信号導電ピン接点３０，円筒形の絶縁部材３１ａ，永久磁石３２ａ，筒状の導電金属製シールド／アース用（ground）スリーブ３３ａを包含している。また、雄要素１０ａのためのラバーハウジング３４と通常のジャック又はプラグ３５ａを包含している。雌要素１０ｂは、ピン接点３０を受け入れるための補完的形状をした金属製の信号導電ソケット３６，円筒形の非導電製絶縁部材３１ｂ，永久磁石３２ａと反対の極性を有する永久磁石３２ｂ，雄要素１０ａのシールド／アース用スリーブ３３ａと衝合関係で接続されるような導電金属製シールド／アース用スリーブ３３ｂを包含している。また、雌要素１０ｂのためのラバーハウジング３７と通常のジャック又はプラグ３５ｂを包含している。
【００２４】
図４は図３の線４−４に沿って取られた雄係合要素１０ａを表している。信号ピン３０はスプリング手段３０ａに応答して、ピン３０が信号ソケット３６と充分に係合するまで突出し、これによりコネクタ１０を通じた信号の完全性を設立しかつ維持する。ピン接点３０は、可撓性の信号ストリップ（帯板）３０ｂに接続され、ストリップ３０ｂはスプリング手段３０ａを貫通して延伸し、ケーブル１１の信号導体に接続され、信号接点がプラグ３５ａの信号導体と接触するのを維持する。ピン３０は一般にＴ字形をしており、スプリング手段３０ａの頂部と衝合するための概ね円形のベース（基部）を有する。スプリング手段３０ａは円筒形の非導電性部材３１ａに設けられた肩部の上に着座する。かくして、非係合位置では、スプリング手段３０ａがピン３０を付勢して雄要素１０ａの係合表面から突出させるようになっている。ピン３０，スプリング手段３０ａ及び信号ストリップ３０ｂは、細長い円筒形の非導電部材３１ａによって包囲され、一方非導電部材３１ａは細長い円筒形磁石３２ａによって包囲され、さらに円筒形磁石３２ａはシールド／アース用スリーブ３３ａによって包囲されている。シールド／アース用スリーブ３３ａは、雄要素１０ａの係合表面を十分カバーし、対応するシールド／アース用スリーブ３３ｂ（図５）と係合したときに適当な信号シールドが達成されるように、円形に形成されている。非導電部材３１ａとハウジング／アース用スリーブ３３ａは開口を有し、この開口はその内径がピン接点３０がそこを貫通できるような内径に作られている。シールド／アース用スリーブ３３ａは、図示のように、アースストリップ３５ｃによって同軸プラグ３５ａのアースに接続されている。図示されているのは一般的な配置であり、スプリング手段３０ａは適当な他の形状をとることができる。
【００２５】
図５は図３の線５−５に沿って取られたコネクタの雌係合要素の断面図である。信号ソケット３６は、要素１０ａと１０ｂとを係合させるためのピン接点３０を受け入れるように凹所が形成されている。ソケット３６は非導電性絶縁体３１ｂによって包囲され、一方非導電性絶縁体３１ｂは円筒形の永久磁石３２ｂにより包囲され、永久磁石３２ｂは磁石３２ａとは反対の極性を有しかつシールド／アース用スリーブ３３ｂにより包囲され、スリーブ３３ｂは雄要素１０ａのシールド／アース用スリーブ３３ａと係合するような形状に作られている。受け入れソケット３６の開放端部は、隣接する絶縁体３１ｂ及び磁石３２ｂと概ね共通平面内にある。シールド／アース用スリーブ３３ｂは、図示のように、アースストリップ３５ｄによりケーブル１１のアースに接続されている。ラバーハウジング３７も図示されている。
【００２６】
雄要素１０ａと雌要素１０ｂとの接続において、スプリング手段３０ａの力は、最初はピン３０がシールド／アース用スリーブ３３ａの係合表面から突出するように付勢している。係合要素１０ａ，１０ｂが緊密に接近させられると、磁石３２ａと３２ｂが係合要素を「把持」し、かつピン３０とソケット３６との間にいくらかのミスマッチがあったとしてもそれらを一緒に引っ張り、ピン３０はスプリング手段３０ａを圧縮し、これによりピン３０はもはやシールド／アース用スリーブ３３ａから突出することはない。いったんミスマッチが修正されると、ピン３０はスプリング手段３０ａによりソケット３６内へと押し込められる。磁石３２ａ，３２ｂの吸引力は、通常の状態では係合要素１０ａ，１０ｂの接続を維持するが、不注意による切断力が作用したときは分離される程度の力に作られている。
【００２７】
シールド／アース用スリーブ３３ａ，３３ｂは、それぞれ係合要素１０ａ，１０ｂの係合表面を充分にカバーできるように円形に作られているが、ピン３０が磁石３２ａ，３２ｂにより受け入れソケット３６に接続されたときは完全な衝合位置となり、これにより連続した電気的シールドを供給し、漂遊干渉（stray interference）を最小化することで、ケーブル１１の中央導体上の信号を保護する。絶縁体３１ａ，３１ｂ及び他のコネクタ成分は、電気的インピーダンスが充分マッチするのを確保できるような適当なスペースと絶縁定数とを与えられ、これにより反射や漏れに起因する電気的損失を最小化するようになっている。
【００２８】
図６は雄コネクタ要素１０ａを上から見た形状を表している。上述したように、ピン３０，絶縁体３１ａ，磁石３２ａ，シールド／アース用スリーブ３３ａ及びハウジング３４が示されている。
【００２９】
図７は雌コネクタ要素１０ｂの係合表面を上から見た形状を表している。上述したように、ソケット３６，絶縁体３１ｂ，磁石３２ｂ，シールド／アース用スリーブ３３ｂ及びハウジング３７が示されている。
【００３０】
図８は本発明による磁気コネクタの他の実施例を表しており、ステレオ音響信号能力を供給する実施例である。図示のように、雄要素は、第１と第２の信号導電ピン８０ａ，８０ｂをそれぞれ有し、さらに非導電絶縁部材８１が信号ピン８０ａと８０ｂを囲い込んで両者を絶縁しており、さらに永久磁石８２，円筒形で導電性金属製のシールド／アース用スリーブ８３，ラバーハウジング８４及びジャック８５を包含している。雌要素は、ピン８０ａを受け入れかつ第１の非導電部材９２ａで絶縁された第１の信号ソケット９１ａを有し、ピン８０ｂを受け入れかつ非導電部材９２ｂで絶縁された第２の信号ソケット９１ｂを有し、磁石８２と反対の極性の磁石９３を有し、磁石９３は雄要素のシールド／アース用スリーブ８３と係合する形状のシールド／アース用スリーブ９４で包囲され、さらにハウジング９５を包含している。また、ケーブル９６とプラグ９７が図示されている。
【００３１】
図９は図８の線９−９に沿って取られた図８の磁気コネクタの雄係合要素の断面を示している。第１と第２の信号ピン８０ａ，８０ｂ，絶縁部材８１，永久磁石８２，導電性のシールド／アース用スリーブ８３，ハウジング８４及びジャック８５が図示されている。信号ピン８０ａ，８０ｂは、それぞれスプリング手段８０ｃ，８０ｄを有し、上述したような可撓性の信号ストリップが含まれている。シールド／アース用スリーブ８３は、アース用ストリップ８６に接続され、ストリップ８６は信号リード線の周りに巻かれてジャック８５のアースに接続されている。かくして、このステレオ音響信号実施例では、第２の信号形状が追加されており、ピン８０ｂは、ピン８０ａを有する第１の信号形状と概ね同一形状ではあるが、そこから絶縁されており、両者は共通のアースを有している。スプリング手段８０ｃ，８０ｄと協働する信号ストリップとは、本発明に従い、いかなる好適な形状をも取ることができる。
【００３２】
図１０は図８の線１０−１０に沿って取られた図８の磁気コネクタの雌係合要素の断面を示している。信号導電ソケット９１ａ，９１ｂには、雄雌要素が接続されると、それぞれピン接点８０ａ，８０ｂを受け入れられるように凹所が形成されている。ソケット９１ａは非導電絶縁体９２ａにより包囲されるように中央配置され、一方円形に形成されたソケット９１ｂは非導電体９２ｂで絶縁され、非導電体９２ｂは磁石８２と反対の極性を有する円筒形磁石９３で包囲され、円筒形磁石９３は雄要素のシールド／アース用スリーブ８３と係合するためのシールド／アース用スリーブ９４により包囲されている。シールド／アース用スリーブ９４は、図示のように、アースリード線３５ｄによりケーブル９７のアースに接続されている。また、ラバーハウジング９５が図示されている。
【００３３】
図１１は図９の雄係合表面の形状を表している。上述したように、第１と第２の信号ピン８０ａ，８０ｂ，絶縁部材８１，永久磁石８２，導電性のシールド／アース用スリーブ８３及びラバーハウジング８４が図示されている。
【００３４】
図１２は図１０の雌係合表面の形状を表している。上述したように、信号導電ソケット９１ａ，９１ｂ、非導電絶縁体９２ａ，９２ｂ，磁石９３，シールド／アース用スリーブ９４及びラバーハウジング９５が図示されている。
【００３５】
ステレオ音響用の実施例での雄雌の接続方法は、前述した単一信号形状の場合と類似している。すなわち、各場合において、最初はスプリング手段の力が作用して接点ピンをシールド／アース用スリーブの係合表面から突出させているが、係合要素が緊密に接近させられると、磁石がいくらかのミスマッチを伴いながら係合要素を一緒に吸引してピンをスプリング手段に抗して押し下げる。これにより、ピンはもはや突出しなくなる。いったんミスマッチが修正されると、ピンは圧縮されたスプリング手段の膨張によってソケット内へと強制的に押し込まれる。
【産業上の利用可能性】
【００３６】
本発明は特定の図示された実施例、すなわち単一信号用とステレオ音響信号用の同軸ケーブル磁気コネクタを参照しながら説明されてきた。当業者であれば、本発明の真の範囲と精神から離れることなく本発明に変更や修正を行えることを理解すべきである。従って、本発明の範囲と精神はこれまで説明してきた実施例に限定されるものではなく、請求項の記載を参照すべきである。
【図面の簡単な説明】
【００３７】
【図１】本発明による同軸ケーブルと磁気コネクタを楽器を大音量スピーカに接続するのに用いた例を示す斜視図。
【図２】図１に示した本発明による同軸ケーブルと磁気コネクタが足がからまったことにより連結位置から不注意に断続された状態を示す斜視図。
【図３】図１に示した本発明による同軸ケーブルと磁気コネクタが本発明に従い雄雌が係合する面を示す斜視図。
【図４】図３の線４−４に沿って取られたコネクタの雄係合要素の断面図。
【図５】図３の線５−５に沿って取られたコネクタの雌係合要素の断面図。
【図６】図４の雄係合表面を表す上面図。
【図７】図４の雌係合表面を表す上面図。
【図８】本発明による磁気コネクタの雄雌係合表面がステレオ音響信号能力を供給する実施例の斜視図。
【図９】図８の線９−９に沿って取られた図８の磁気コネクタの雄係合要素の断面図。
【図１０】図８の線１０−１０に沿って取られた図８の磁気コネクタの雌係合要素の断面図。
【図１１】図９の雄係合表面を表す上面図。
【図１２】図１０の雌係合表面を表す上面図。
【符号の説明】
【００３８】
１０  磁気コネクタ                  １０ａ  雄コネクタ要素
１０ｂ  雌コネクタ要素              １１  同軸ケーブル
３０  ピン接点                      ３１ａ，３１ｂ  絶縁部材
３２ａ，３２ｂ  永久磁石
３３ａ，３３ｂ  シールド／アース用スリーブ
３４，３７  ラバーハウジング
３５ａ，３５ｂ  ジャック            ３６  ソケット
【図１】
2009539224.tif 000003
【図２】
2009539224.tif 000004
【図３】
2009539224.tif 000005
【図４】
2009539224.tif 000006
【図５】
2009539224.tif 000007
【図６】
2009539224.tif 000008
【図７】
2009539224.tif 000009
【図８】
2009539224.tif 000010
【図９】
2009539224.tif 000011
【図１０】
2009539224.tif 000012
【図１１】
2009539224.tif 000013
【図１２】
2009539224.tif 000014
【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
同軸ケーブル用のコネクタ組立体であって、
信号導電部材を有する第１要素と前記信号導電部材と接触するための補完的部材を有する第２要素を包含し、
前記第１要素及び前記第２要素は前記信号導電部材及び前記補完的部材と電気的に係合するための係合面を有しており、
前記第１要素及び前記第２要素内の磁気手段であって前記両要素の接続を維持するとともに前記ケーブルに切断力が働いたときは前記両要素を切断することができる磁気手段を包含し、
前記係合面は各ケーブルのブレードに電気的に接続されかつ前記第１要素及び前記第２要素の各磁気手段を越えて延伸しているコネクタ組立体。
【請求項２】
前記コネクタはさらに前記信号導電部材及び前記補完的部材の接触を付勢するためのスプリング手段を含んでいる請求項１記載のコネクタ組立体。
【請求項３】
前記係合面の係合は、前記第１要素と前記第２要素との間にマッチする電気的インピーダンスを有する連続した電気的シールドを供給し、これにより突然に切断されたときにも音響的ノイズの発生や電気回路の損傷を阻止できるような電気的回路接続を供給している請求項１記載のコネクタ組立体。
【請求項４】
前記信号導電部材は可撓性の信号導電手段によって前記同軸ケーブルの中央導体に接続され、前記スプリング手段の圧縮状態から独立して信号の連続性を維持するようになっている請求項２記載のコネクタ組立体。
【請求項５】
前記第１要素は複数の信号導電部材を有し、前記第２要素は補完的接触部材を有している請求項４記載のコネクタ組立体。
【請求項６】
第１ケーブルを第２ケーブルに連結するための同軸ケーブル用コネクタ組立体で、各ケーブルが内側絶縁層で被覆された中央導体と前記内側絶縁層を被覆する導電ブレードとを有している同軸ケーブル用コネクタ組立体であって、
第１導電要素で、信号導電部材を有し、この信号導電部材がピン接点部分と可撓性導体に導電的に連結されたピンアタッチメント部分とを有し、この可撓性導体は前記第１ケーブルの前記中央導体に連結されており、
さらにこの第１導電要素は、前記ピンアタッチメント部分と前記可撓性導体とを包囲しかつ前記ピン接点部分の一部を越えて延伸している第１の絶縁性部材と、
前記第１の絶縁性部材を包囲する第１の磁気部材と、
前記第１の磁気部材を包囲しかつ前記第１の磁気部材を越えて延伸している第１の導電性シールド手段とを有し、前記第１の導電性シールド手段は前記第１導電要素のための概ね平坦な係合面を供給しており、さらに前記第１の導電性シールド手段は前記第１ケーブルの前記ブレードに電気的に連結されているような第１導電要素を備え、
さらに同軸ケーブル用コネクタ組立体は、
第２導電要素で、前記第２ケーブルの中央導体に導電的に連結されるための第１端部と、前記ピン接点部分と補完的に接触するための第２端部とを有し、
さらにこの第２導電要素は、前記第２端部を包囲する第２の絶縁性部材と、
前記第２の絶縁性部材を包囲する第２の磁気部材と、
前記第２の磁気部材を越えて延伸している第２の導電性シールド手段とを有し、前記第２の導電性シールド手段は前記第１導電要素の前記係合面と係合するための概ね平坦な面を供給しており、さらに前記第２のシールド手段は前記ブレードに電気的に連結されているような第２導電要素とを備えており、
前記第１及び第２の磁気部材は反対の極性を有し、前記第１導電要素と前記第２導電要素とがそれらの各係合面で係合したときは、過剰な分離力が働かない限り、連続して連結された状態を保持するようになっている同軸ケーブル用コネクタ組立体。
【請求項７】
前記ピンアタッチメント部分はスプリング手段を有し、このスプリング手段は、前記ピン接点部分に働く圧力に応答して、圧縮された状態で前記ピン接点部分を前記第１導電要素内へと押し下げ、かつ圧力が解放された状態で拡張し前記第２導電要素の前記第２端部と接触するようになっている請求項６記載のコネクタ組立体。
【請求項８】
前記第１導電要素と前記第２導電要素との係合は、前記第１ケーブルと前記第２ケーブルとの間にマッチした電気的インピーダンスを有する連続した電気的シールドを供給している請求項６記載のコネクタ組立体。
【請求項９】
音響システム内での前記第１導電要素と前記第２導電要素との係合は、突然の切断による音響的ノイズの発生や電気回路の損傷を阻止するような電気回路接続を供給している請求項６記載のコネクタ組立体。
【請求項１０】
前記第１導電要素は複数のピン部材を有し、前記第２導電要素は補完的な接触部材を有している請求項７記載のコネクタ組立体。
【請求項１１】
同軸ケーブル用のコネクタ組立体であって、
第１係合要素及び第２係合要素であり、前記第１係合要素が信号導電部材を有し、この信号導電部材は前記第２係合要素内の補完的部材と係合するようになっている第１係合要素及び第２係合要素を包含し、
前記第１係合要素及び前記第２係合要素は係合する表面を有し、これらの表面には前記第１係合要素と前記第２係合要素との連結を維持しかつ前記コネクタ組立体に破壊的な力が加わったときは前記第１係合要素と前記第２係合要素とを分離させるような磁気手段がそれぞれ設けられており、
前記第１係合要素と前記第２係合要素はそれぞれ導電性シールド手段を有し、これら導電性シールド手段はそれぞれアースされたブレードに連結されかつそれぞれの磁気手段を越えて延伸している同軸ケーブル用コネクタ組立体。
【請求項１２】
前記磁気手段は前記第１係合要素内の永久磁石と前記第２係合要素内にあって反対の極性を有する永久磁石とを包含する請求項１１記載のコネクタ組立体。
【請求項１３】
前記第１係合要素と前記第２係合要素との係合は連続した電気的シールドを供給している請求項１１記載のコネクタ組立体。
【請求項１４】
前記第１係合要素と前記第２係合要素との係合は前記第１係合要素と前記第２係合要素との間にマッチした電気的インピーダンスを供給し、これにより前記第１係合要素と前記第２係合要素との係合が突然に切断されたときは音響的ノイズの発生や電気回路の損傷を阻止するような電気回路接続を供給している請求項１１記載のコネクタ組立体。
【請求項１５】
前記第１係合要素と前記第２係合要素との電気的接続を付勢するためのスプリング手段を有し、前記コネクタは、前記スプリング手段の圧縮状態から独立して信号の連続性を維持するための可撓性の信号導電手段を包含している請求項１１記載のコネクタ組立体。
【請求項１６】
前記信号導電手段がピン接点部分と可撓性導体に導電的に連結されたピンアタッチメント部分とを有し、この可撓性導体は第１の同軸ケーブルの中央導体に連結されており、
さらにこの組立体は、前記ピンアタッチメント部分と前記可撓性導体とを包囲しかつ前記ピン接点部分の一部を越えて延伸している第１の絶縁性部材と、
前記第１の絶縁性部材を包囲する第１の磁気部材と、
前記第１の磁気部材を包囲しかつ前記第１の磁気部材を越えて延伸している第１の導電性シールド手段とを有し、前記第１の導電性シールド部材は前記第１係合要素のための概ね平坦な係合面を供給しており、さらに前記第１の導電性シールド手段は前記第１ケーブルのブレードに電気的に連結されており、
前記第２係合要素は、第２の同軸ケーブルの中央導体に導電的に連結されるための第１端部と、前記ピン接点部分を導電的に接触するための前記補完的部分に連結される第２端部とを有し、
さらにこの第２係合要素は、前記第２端部を包囲する第２の絶縁性部材と、
前記第２の絶縁性部材を包囲する第２の磁気部材と、
前記第２の磁気部材を越えて延伸している第２の導電性シールド手段とを有し、前記第２の導電性シールド手段は前記第１係合要素の前記係合面と係合するための概ね平坦な面を供給しており、さらに前記第２のシールド手段は前記第２のケーブルの前記ブレードに電気的に連結されている請求項１１記載のコネクタ組立体。
【請求項１７】
前記第１係合要素は複数のピン部材を有し、前記第２係合要素は補完的な接点部材を有している請求項１６記載のコネクタ組立体。
【請求項１８】
音響システムにおける前記第１係合要素と前記第２係合要素との係合は、突然に切断されたときにも音響的ノイズの発生や電気回路の損傷を阻止するような電気回路接続を供給している請求項１６記載のコネクタ組立体。
【国際調査報告】
2009539224.tif 000015